(57)【要約】【課題】  温度変化などの影響による誤動作を抑制し、方向入力時の操作性を向上させた携帯情報端末を提供する。【解決手段】  隣接して配置された圧力センサ３４と、接点式スイッチからなる方向キー３１と、ポインタを画面表示するメインディスプレイ１１と、圧力センサ３４及び接点式スイッチの出力に基づいて、ポインタ移動信号を生成するポインタ制御部１１０により構成される。ポインタ制御部１１０は、短押しモード時における接点式スイッチの検出結果に基づいて、押圧操作の開始を検知し、当該押圧操作の開始時にポインタ移動信号を生成する短押し制御部１１１と、押圧操作が一定時間継続していると判断した場合に、短押しモードを長押しモードに切り替えるモード切替部１１３と、長押しモード時における圧力センサ３４の検出結果に基づいて、押圧力に応じたポインタ移動信号を繰返し生成する長押し制御部１１２を有する。【選択図】  図９
2011100290.tif 000002
【特許請求の範囲】
【請求項１】
隣接して配置された圧力センサ及び接点式スイッチと、ポインタを画面表示する表示手段と、上記圧力センサ及び上記接点式スイッチの出力に基づいて、上記ポインタを移動させるためのポインタ移動信号を生成するポインタ制御手段とを備え、
上記圧力センサは、押圧操作に応じて電極間隔が変化するコンデンサと、上記コンデンサの静電容量に基づいて、上記押圧操作の押圧力を検出する押圧力検出手段とを有し、
上記ポインタ制御手段は、短押しモード時における上記接点式スイッチの検出結果に基づいて、上記押圧操作の開始を検知し、当該押圧操作の開始時に上記ポインタ移動信号を生成する短押し制御手段と、
上記押圧操作が一定時間継続していると判断した場合に、短押しモードを長押しモードに切り替えるモード切替手段と、
長押しモード時における上記圧力センサの検出結果に基づいて、上記押圧力に応じた上記ポインタ移動信号を繰返し生成する長押し制御手段とを有することを特徴とする携帯情報端末。
【請求項２】
上記モード切替手段は、上記接点式スイッチが上記押圧操作の開始を検知してから終了を検知するまでに上記一定時間が経過した場合に、短押しモードを長押しモードに切り替えることを特徴とする請求項１に記載の携帯情報端末。
【請求項３】
上記モード切替手段は、上記接点式スイッチが上記押圧操作の開始を検知した後、上記圧力センサにより検出される上記押圧力が第１閾値を下回ることなく上記一定時間が経過した場合に、短押しモードを長押しモードに切り替え、
第１閾値は、上記接点式スイッチが上記押圧操作の終了を検知する際の押圧力よりも小さいことを特徴とする請求項１に記載の携帯情報端末。
【請求項４】
上記モード切替手段は、上記押圧力を上記接点式スイッチが上記押圧操作の開始を検知する際の押圧力よりも小さな第２閾値と比較し、この比較結果に基づいて長押しモードを短押しモードに切り替えることを特徴とする請求項１から３のいずれかに記載の携帯情報端末。
【請求項５】
２以上の選択項目からなる項目列の画面表示を制御する項目列表示手段を備え、
上記項目列は、上記選択項目のいずれか１つが選択候補として表示され、
上記選択候補が、上記ポインタ移動信号に基づいて、上記選択項目間で移動することを特徴とする請求項１に記載の携帯情報端末。
【発明の詳細な説明】
【技術分野】
【０００１】
本発明は、携帯情報端末に係り、さらに詳しくは、圧力センサ及び接点式スイッチの出力に基づいてポインタを移動させる携帯情報端末の改良に関する。
【背景技術】
【０００２】
近年、円環状のパッド面に指を接触させた際の押圧力の大きさ及びパッド面の傾きを検出する圧力センサを用いて、画面のスクロール、マウスポインタやカーソルの移動、フォーカスの移動、ボリューム調整などを行う技術が提案されている。圧力センサは、押圧操作の押圧力に応じて電極間隔が変化する複数のコンデンサを用いてユーザによる操作を検知する静電容量方式の入力装置であり、各コンデンサの静電容量に基づいて、押圧力の大きさ及びパッド面の傾きを検出する制御回路を備えて構成される。
【０００３】
この様な圧力センサを携帯電話機やＰＤＡ（Personal Digital Assistants）などの携帯情報端末に搭載すれば、操作のバリエーションを増やすことができる。すなわち、端末のＣＰＵが圧力センサから押圧力の大きさ及びパッド面の傾きを一定時間ごとに読み出すことにより、パッド面に指を接触させた際の押圧力、パッド面の傾き及びその変化量に応じた入力処理を行わせることができる。例えば、上方向の方向入力のための操作位置として予め定められているパッド面内の部位を押し込むことにより、画面を上方向にスクロールさせ、或いは、選択候補を示すフォーカスを上方向に移動させることができる。
【０００４】
通常、押圧力は、非操作時の静電容量と押圧操作時の静電容量との差分値から求められる。この様にして求められた押圧力が閾値を越えた場合に、画面のスクロールやフォーカスの移動処理が行われる。なお、特許文献１及び２には、画面をスクロールさせる際のスクロール速度やカーソルを移動させる際の移動速度を押圧力に応じて調整する技術が開示されている。
【先行技術文献】
【特許文献】
【０００５】
【特許文献１】特許第４０７９６５６号公報
【特許文献２】特許第３６９０６５７号公報
【発明の概要】
【発明が解決しようとする課題】
【０００６】
しかしながら、上述した圧力センサを用いた入力処理では、温度変化などの影響によりコンデンサの静電容量が変動し、ユーザの意に反して方向入力が行われなかったり、意図しない方向入力が行われてしまう場合があった。一方、パッド面の押込みによりオンし、方向入力信号を出力する接点式スイッチからなる方向キーの場合、温度変化などの影響を受けにくく、ユーザの意に反して方向入力が行われないということが少ない。そこで、その様な方向キーによる入力処理と圧力センサによる入力処理とを組み合わせることによって、方向入力時における操作性を向上させることが考えられる。
【０００７】
本発明は、上記事情に鑑みてなされたものであり、温度変化などの影響による誤動作を抑制し、ポインタ移動時の操作性を向上させることができる携帯情報端末を提供することを目的としている。特に、押圧力に応じたポインタの移動を可能としつつ、誤動作を抑制することができる携帯情報端末を提供することを目的としている。
【課題を解決するための手段】
【０００８】
第１の本発明による携帯情報端末は、隣接して配置された圧力センサ及び接点式スイッチと、ポインタを画面表示する表示手段と、上記圧力センサ及び上記接点式スイッチの出力に基づいて、上記ポインタを移動させるためのポインタ移動信号を生成するポインタ制御手段とを備え、上記圧力センサが、押圧操作に応じて電極間隔が変化するコンデンサと、上記コンデンサの静電容量に基づいて、上記押圧操作の押圧力を検出する押圧力検出手段とを有し、上記ポインタ制御手段が、短押しモード時における上記接点式スイッチの検出結果に基づいて、上記押圧操作の開始を検知し、当該押圧操作の開始時に上記ポインタ移動信号を生成する短押し制御手段と、上記押圧操作が一定時間継続していると判断した場合に、短押しモードを長押しモードに切り替えるモード切替手段と、長押しモード時における上記圧力センサの検出結果に基づいて、上記押圧力に応じた上記ポインタ移動信号を繰返し生成する長押し制御手段とを有するように構成される。
【０００９】
この様な構成によれば、接点式スイッチの検出結果に基づいて押圧操作の開始を検知してポインタ移動信号が生成されるので、押圧力に応じたポインタの移動を可能とする構成でありながら、温度変化などの影響による誤動作を抑制することができる。
【００１０】
第２の本発明による携帯情報端末は、上記構成に加えて、上記モード切替手段が、上記接点式スイッチが上記押圧操作の開始を検知してから終了を検知するまでに上記一定時間が経過した場合に、短押しモードを長押しモードに切り替えるように構成される。この様な構成によれば、接点式スイッチを押し続けるだけで、押圧力に応じたポインタ移動に自動的に移行させることができる。
【００１１】
第３の本発明による携帯情報端末は、上記構成に加えて、上記モード切替手段が、上記接点式スイッチが上記押圧操作の開始を検知した後、上記圧力センサにより検出される上記押圧力が第１閾値を下回ることなく上記一定時間が経過した場合に、短押しモードを長押しモードに切り替え、第１閾値が、上記接点式スイッチが上記押圧操作の終了を検知する際の押圧力よりも小さいように構成される。この様な構成によれば、接点式スイッチが押圧操作の終了を検知する際の押圧力よりも小さな押圧力で圧力センサを押し続けることにより、押圧力に応じたポインタ移動に移行させることができる。
【００１２】
第４の本発明による携帯情報端末は、上記構成に加えて、上記モード切替手段が、上記押圧力を上記接点式スイッチが上記押圧操作の開始を検知する際の押圧力よりも小さな第２閾値と比較し、この比較結果に基づいて長押しモードを短押しモードに切り替えるように構成される。
【００１３】
この様な構成によれば、圧力センサにより検出される押圧力と、接点式スイッチが押圧操作の開始を検知する際の押圧力よりも小さな第２閾値との比較結果に基づいて、長押しモードが短押しモードに切り替えられるので、接点式スイッチが押圧操作の終了を検知するタイミングで短押しモードに復帰させる場合に比べて、第２閾値から押圧力の上限値までの範囲を有効に使ってポインタの移動速度を調整させることができる。
【００１４】
第５の本発明による携帯情報端末は、上記構成に加えて、２以上の選択項目からなる項目列の画面表示を制御する項目列表示手段を備え、上記項目列が、上記選択項目のいずれか１つが選択候補として表示され、上記選択候補が、上記ポインタ移動信号に基づいて、上記選択項目間で移動するように構成される。この様な構成によれば、押圧力に応じたポインタ移動を可能としつつ、温度変化などの影響による誤動作が抑制されるので、選択候補を選択項目間で移動させる際の操作性を向上させることができる。
【発明の効果】
【００１５】
本発明による携帯情報端末によれば、接点式スイッチの検出結果に基づいて押圧操作の開始を検知してポインタ移動信号が生成されるので、押圧力に応じたポインタの移動を可能とする構成でありながら、温度変化などの影響による誤動作を抑制することができる。従って、温度変化などの影響による誤動作を抑制し、ポインタ移動時の操作性を向上させた携帯情報端末を実現することができる。
【図面の簡単な説明】
【００１６】
【図１】本発明の実施の形態１による携帯情報端末の概略構成の一例を示した図であり、携帯情報端末の一例として折り畳み式の携帯電話機１００が示されている。
【図２】図１の携帯電話機１００の要部における構成例を示した平面図であり、操作筐体３０を構成するキートップシート４０が示されている。
【図３】図１の携帯電話機１００の要部における構成例を示した図であり、操作筐体３０内のメイン基板３６上に配設された圧力センサ３４が示されている。
【図４】図１の携帯電話機１００の要部における構成例を示した断面図であり、Ａ−Ａ線による切断面の様子が示されている。
【図５】図３の圧力センサ３４における感圧パッド部３４ａを模式的に示した説明図である。
【図６】図１の携帯電話機１００の動作の一例を模式的に示した説明図であり、キートップシート４０のキートップ部４１及び４２が示されている。
【図７】図１の携帯電話機１００の動作の一例を模式的に示した説明図であり、ダウンイベントの発生時から押込限界時までの操作筐体３０内部の様子が示されている。
【図８】図１の携帯電話機１００の構成例を示したブロック図であり、携帯電話機１００内部の機能構成の一例が示されている。
【図９】図８の携帯電話機１００の要部における構成例を示したブロック図であり、操作入力部１０１内の機能構成の一例が示されている。
【図１０】図８の携帯電話機１００の動作の一例を示した図であり、複数の選択項目６４からなる項目列を表示するためのリスト画面６０が示されている。
【図１１】図８の携帯電話機１００の動作の一例を示した図であり、方向キー３１の短押し時における押圧力の変化が示されている。
【図１２】図８の携帯電話機１００の動作の一例を示した図であり、方向キー３１の長押し時における押圧力の変化が示されている。
【図１３】図８の携帯電話機１００の動作の一例を示した図であり、方向キー３１の押圧操作時におけるフォーカス６５の移動の様子が示されている。
【図１４】図８の携帯電話機１００における方向キー３１の押圧操作時の動作の一例を示したフローチャートである。
【図１５】本発明の実施の形態２による携帯情報端末の構成例を示したブロック図であり、操作入力部１０１の他の例が示されている。
【図１６】図１５の携帯情報端末の動作の他の一例を示した図であり、方向キー３１の長押し時における押圧力の変化が示されている。
【発明を実施するための形態】
【００１７】
実施の形態１．
まず、本発明の実施の形態１による携帯情報端末が前提とする圧力センサ及び接点式スイッチの構成について、図１〜図７を用いて以下に説明する。
【００１８】
図１（ａ）及び（ｂ）は、本発明の実施の形態１による携帯情報端末の概略構成の一例を示した図であり、携帯情報端末の一例として折り畳み式の携帯電話機１００が示されている。図１（ａ）には、オープン状態の携帯電話機１００を正面から見た様子が示され、図１（ｂ）には、クローズ状態の携帯電話機１００が示されている。
【００１９】
携帯電話機１００は、上下方向に長い薄型の表示筐体１０及び操作筐体３０と、これらの筐体を連結するヒンジ部２０とからなる携帯情報端末であり、両筐体を展開させたオープン状態、折り畳んでコンパクトに収納させたクローズ状態を遷移させることができる。
【００２０】
表示筐体１０の前面には、メインディスプレイ１１及び受話用レシーバ１２が設けられ、背面には、サブディスプレイ１３が設けられている。受話用レシーバ１２は、通話時に受信した音声信号を再生するための音声出力装置であり、表示筐体１０のヒンジ部２０とは反対側の端部に配置されている。
【００２１】
メインディスプレイ１１は、表示画面を有する表示装置であり、例えば、液晶パネルやバックライトによって構成される。サブディスプレイ１３は、メインディスプレイ１１よりも小さな表示画面を有する表示装置である。
【００２２】
ヒンジ部２０は、表示筐体１０及び操作筐体３０を連結する連結機構である。操作筐体３０の前面には、４つの方向キー３１、センターキー３２、テンキー３３、ガイドキー３３ａなどの複数の操作キーと、圧力センサ３４及び送話用マイクロホン３５が設けられている。送話用マイクロホン３５は、通話時に音声を入力するための音声入力装置であり、操作筐体３０のヒンジ部２０とは反対側の端部に配置されている。
【００２３】
各方向キー３１は、センターキー３２を挟んで当該センターキー３２の上下及び左右にそれぞれ配置された操作キーであり、押圧操作により、上下左右の位置に応じた方向入力を行うことができる。例えば、方向キー３１として、上キー、下キー、左キー及び右キーを備え、上キー、センターキー３２及び下キーが上下方向の直線上に配置され、左キー、センターキー３２及び右キーが当該直線と交差する左右方向の直線上に配置される。
【００２４】
方向キー３１、センターキー３２、テンキー３３及びガイドキー３３ａは、いずれも接点間の導通又は遮断によりオン又はオフする接点式スイッチからなり、それぞれ押圧操作時に所定のキー割込信号を生成する。方向キー３１は、圧力センサ３４と共通のパッド面を押し込むことによってオンし、キー割込信号として、押圧部位に応じた方向入力信号が出力される。
【００２５】
圧力センサ３４は、センターキー３２を中心とする円環状の感圧領域を有する入力装置であり、押圧操作に応じて電極間隔が変化するコンデンサを用いてユーザ操作を検知し、所定のセンサ割込信号を生成する。この圧力センサ３４により、パッド面に指を接触させた際の押圧力の大きさやパッド面の傾きに応じた入力処理を行わせることができる。
【００２６】
４つの方向キー３１は、圧力センサ３４を構成するコンデンサの近傍に配置された操作キーであり、当該コンデンサは、方向キー３１とセンターキー３２との間に配置される。つまり、各方向キー３１と圧力センサ３４とは、間に他の操作キーを挟むことなく、隣接して配置され、共通の押圧操作によって操作される入力デバイスである。
【００２７】
この例では、各方向キー３１と圧力センサ３４とが、パッド面上における押圧部位に応じて異なる方向入力を行うことができる１つの多入力デバイスを構成しており、ヒンジ部２０とテンキー３３との間に配置されている。
【００２８】
＜キートップシート＞
図２（ａ）及び（ｂ）は、図１の携帯電話機１００の要部における構成例を示した平面図であり、操作筐体３０を構成するキートップシート４０が示されている。図２（ａ）には、キートップシート４０の表面が示され、図２（ｂ）には、裏面の様子が示されている。キートップシート４０は、可撓性を有するフィルム状のカバー部材であり、操作筐体３０の前面に配置される。
【００２９】
このキートップシート４０には、４つの方向キー３１及び圧力センサ３４に共通のキートップ部４１と、センターキー３２の位置を示すキートップ部４２と、各テンキー３３の位置を示す複数のキートップ部４３と、マイク孔４４が形成されている。
【００３０】
キートップ部４１は、円形のキートップ部４２を中心とする円環状のパッドである。また、各キートップ部４３は、６行３列のマトリクス状にそれぞれ配置された矩形状のパッドである。キートップ部４１〜４３の裏面には、操作キーを構成する接点式スイッチを押し込むための押し子４１ａ，４２ａ，４３ａや、圧力センサ３４を構成するコンデンサを押し込むための押し子４１ｂが設けられている。
【００３１】
すなわち、キートップ部４１の裏面には、各方向キー３１を押し込むための４つの押し子４１ａと、圧力センサ３４のコンデンサを押し込むための円環状の押し子４１ｂとが形成されている。押し子４１ｂは、キートップ部４１と同心に配置されている。押し子４１ａは、キートップ部４１の外側の周縁部に配置され、押し子４１ｂは、内側の周縁部に配置されている。
【００３２】
また、キートップ部４２の裏面には、センターキー３２を押し込むための押し子４２ａが形成され、キートップ部４３の裏面には、テンキー３３を押し込むための押し子４３ａが形成されている。キートップシート４０は、その上端に形成された切り欠き部４５にヒンジ部２０を挿入した状態で操作筐体３０に取り付けられる。
【００３３】
＜圧力センサ＞
図３は、図１の携帯電話機１００の要部における構成例を示した図であり、操作筐体３０内のメイン基板３６上に配設された圧力センサ３４が示されている。メイン基板３６は、圧力センサ３４、操作キー３１，３３を構成する接点式スイッチ、ＣＰＵなどの回路素子が配設される配線基板である。
【００３４】
圧力センサ３４は、感圧パッド部３４ａ、センターキー３２及びセンサ制御回路３４ｄがフレキシブル基板３７上に形成されたセンサモジュールである。感圧パッド部３４ａは、センターキー３２を挟んで上下及び左右にそれぞれ配置された４つのコンデンサ３４ｂと、円環状のコンデンサ３４ｃとからなるコンデンサユニットである。
【００３５】
コンデンサ３４ｂ，３４ｃは、いずれも互いに対向させて配置された平板状の２つの電極からなる容量素子であり、押圧操作時の押圧力に応じて電極間隔が変化する。各コンデンサ３４ｂは、コンデンサ３４ｃを取り囲むように、コンデンサ３４ｃを挟んで上下及び左右にそれぞれ配置されている。コンデンサ３４ｂの電極は、扇形形状からなる。
【００３６】
コンデンサ３４ｃは、センターキー３２を中心とする環状形状からなり、このセンターキー３２とコンデンサ３４ｂとの間に配置されている。センサ制御回路３４ｄは、コンデンサ３４ｂ，３４ｃの静電容量に基づいて、コンデンサごとの押圧力を検出し、所定のセンサ割込信号を生成する。上記押圧力は、キートップ部４１を介して感圧パッド部３４ａに加えられる圧力である。
【００３７】
コンデンサ３４ｃは、押圧力の大きさを判断するのに用いられ、コンデンサ３４ｂは、押圧部位に応じた方向入力に用いられる。また、押圧操作の検知には、コンデンサ３４ｂ，３４ｃのいずれを用いることもできるが、ここでは、コンデンサ３４ｃを用いるものとする。
【００３８】
＜Ａ−Ａ断面＞
図４は、図１の携帯電話機１００の要部における構成例を示した断面図であり、Ａ−Ａ線による切断面の様子が示されている。操作筐体３０内のメイン基板３６は、キートップシート４０の裏面に対向させて配置されている。
【００３９】
キートップシート４０には、前面側にキートップ部４１，４２が形成され、背面側に押し子４１ａ，４１ｂ，４２ａが形成されている。押し子４１ａは、メイン基板３６上に配設された方向キー３１に対向する位置に形成された突出部である。
【００４０】
方向キー３１は、ドーム形状の電極板３１ａを電極３１ｂに接触させるメタルドーム式の接点スイッチにより構成されている。キートップ部４１を押し込むと、押し子４１ａが電極板３１ａと当接して当該電極板３１ａが弾性変形し、電極板３１ａが電極３１ｂに接触することにより接点間が導通してオン状態となる。
【００４１】
押し子４１ｂは、コンデンサ３４ｂ及び３４ｃからなる感圧パッド部３４ａに対向する位置に形成された突出部である。感圧パッド部３４ａは、センターキー３２と方向キー３１との間に配置されている。コンデンサ３４ｂは、互いに離間させて配置された２つの電極板５３からなり、押圧操作時に電極板５３間の距離が変化する。コンデンサ３４ｃは、互いに離間させて配置された２つの電極板５２からなり、押圧操作時に電極板５２間の距離が変化する。
【００４２】
この例では、コンデンサ３４ｂの各電極板５２とコンデンサ３４ｃの各電極板５３とが、それぞれ弾性部材５４によってメイン基板３６と平行に保持されている。また、コンデンサ３４ｂ，３４ｃの前面側には、弾性部材５４を介して円環状の金属板５１が固着されている。
【００４３】
金属板５１は、押し子４１ｂを当接させる感圧部であり、電極板５２，５３全体を覆っている。キートップ部４１を押し込むと、押し子４１ａが電極板３１ａに接触するよりも前に、押し子４１ｂが金属板５１と当接し、弾性部材５４の変形により電極板５２間の距離や電極板５３間の距離が変化する。
【００４４】
押し子４２ａは、感圧パッド部３４ａの中心部に配設されたセンターキー３２に対向する位置に形成された突出部である。センターキー３２は、ドーム形状の電極板３２ａを電極３２ｂに接触させるメタルドーム式の接点スイッチにより構成されている。キートップ部４２を押し込んだ際に、押し子４２ａが弾性部材５４に当接し、弾性部材５４を介して電極板３２ａを弾性変形させる。そして、センターキー３２は、電極板３２ａが電極３２ｂに接触することにより接点間が導通してオン状態となる。
【００４５】
＜感圧パッド部＞
図５は、図３の圧力センサ３４における感圧パッド部３４ａを模式的に示した説明図である。感圧パッド部３４ａは、センターキー３２を挟んで上下左右にそれぞれ配置された４つのコンデンサ３４ｂと、センターキー３２を中心として、コンデンサ３４ｂよりも内側に配置されたコンデンサ３４ｃとによって構成される。
【００４６】
この例では、左右方向をＸ方向、上下方向をＹ方向、押圧操作時の押込み方向をＺ方向とし、４つのコンデンサ３４ｂが、Ｘ（＋）コンデンサ、Ｘ（−）コンデンサ、Ｙ（＋）コンデンサ及びＹ（−）コンデンサとして用いられ、コンデンサ３４ｃが、Ｚコンデンサとして用いられる。
【００４７】
左キー、センターキー３２及び右キーは、Ｘ方向に配列され、上キー、センターキー３２及び下キーは、Ｙ方向に配列されている。Ｘ（＋）コンデンサ及びＸ（−）コンデンサは、金属板５１のＸ方向の傾きを検出するためのコンデンサであり、センターキー３２を中心としてＸ方向に配列されている。Ｘ方向の傾きは、Ｘ（＋）コンデンサ及びＸ（−）コンデンサの静電容量を一定時間ごとに検出し、非操作時における静電容量との差分値からコンデンサごとの押圧力を求めることによって決定される。
【００４８】
Ｙ（＋）コンデンサ及びＹ（−）コンデンサは、金属板５１のＹ方向の傾きを検出するためのコンデンサであり、センターキー３２を中心としてＹ方向に配列されている。Ｙ方向の傾きは、Ｙ（＋）コンデンサ及びＹ（−）コンデンサの静電容量を一定時間ごとに検出し、非操作時における静電容量との差分値からコンデンサごとの押圧力を求めることによって決定される。
【００４９】
Ｚコンデンサは、金属板５１がＺ方向に押し込まれた際の押圧力の大きさを検出するためのコンデンサであり、センターキー３２を中心として、当該センターキー３２とコンデンサ３４ｂとの間に配置されている。
【００５０】
圧力センサ３４は、Ｘ方向及びＹ方向の傾きとＺ方向の押圧力とから、これらをＸ，Ｙ，Ｚ成分とするベクトル量（Ｘ，Ｙ，Ｚ）を求めて出力することができる。また、Ｘ方向及びＹ方向の傾きの変化量から、単位時間当たりの回転角を求めて出力することもできる。
【００５１】
図６及び図７は、図１の携帯電話機１００の動作の一例を模式的に示した説明図であり、感圧パッド部３４ａ周辺の様子が示されている。図６（ａ）には、キートップシート４０のキートップ部４１及び４２が示され、図６（ｂ）には、非操作時の操作筐体３０内部の様子が示されている。
【００５２】
キートップ部４１は、４つの方向キー３１と、感圧パッド部３４ａのコンデンサ３４ｂ及び３４ｃとに共通のパッドであり、指を接触させた際に、０°から３６０°までの範囲でどの方向がどれくらいの強さ（押圧力）で押し込まれたかを検知することができる。キートップ部４１の非操作時には、押し子４１ａ及び方向キー３１間と、押し子４１ｂ及び感圧パッド部３４ａ間とにそれぞれ間隙が形成されている。
【００５３】
この携帯電話機１００では、キートップ部４１のパッド面に指を接触させた際、押圧力が一定値を越えた場合に、センサ割込み信号が出力され、押圧操作が検知される。ここで、パッド面に指を接触させる動作をダウンイベントと呼び、パッド面から指を離間させる動作をアップイベントと呼ぶことにすると、押圧力が一定値を越えることによって指のダウンイベントが検知されることになる。
【００５４】
図７（ａ）には、指によるダウンイベントの発生時の操作筐体３０内部の様子が示され、図７（ｂ）には、キートップ部４１をさらに押し込んだ状態が示されている。図７（ｃ）には、押込限界時の操作筐体３０内部の様子が示されている。
【００５５】
キートップ部４１に指を接触させた際、圧力センサ３４により検出される押圧力が一定値よりも小さければ、方向キー３１の接点スイッチはオフ状態のままである。例えば、キートップ部４１の左キー付近に指を接触させてキートップ部４１を押し込んだ場合、その押圧力が小さい状態（ダウンイベント発生時）では、押し子４１ｂのみが感圧パッド部３４ａと当接し、押し子４１ａ及び左キー間には間隙が形成されたままとなる。
【００５６】
キートップ部４１をさらに押し込み、押圧力が一定値を越えると、押し子４１ａも方向キー３１、すなわち、左キーと当接して当該左キーの接点スイッチがオンすることにより、左キーの操作が検知される。
【００５７】
つまり、方向キー３１を押圧操作する場合、方向キー３１よりも前に圧力センサ３４において押圧操作が検知され、押圧力や操作位置が出力される。そして、キートップ部４１が一定値を越えてさらに押し込まれた場合には、方向キー３１の操作が検知される。キートップ部４１を押し込む際の押圧力を増大させれば、方向キー３１や感圧パッド部３４ａの弾性変形量が大きくなり、やがて押込限界に達することとなる。
【００５８】
次に、共通の押圧操作によって操作される圧力センサ３４及び方向キー３１の出力を利用してポインタを移動させる構成について、図８〜図１４を用いて以下に説明する。
【００５９】
図８は、図１の携帯電話機１００の構成例を示したブロック図であり、携帯電話機１００内部の機能構成の一例が示されている。この携帯電話機１００は、メインディスプレイ１１、操作入力部１０１、アプリケーション記憶部１０２、項目列表示部１０３、文書ファイル記憶部１０４及び文章表示部１０５により構成される。
【００６０】
操作入力部１０１は、ユーザによる操作を検知し、所定の入力処理を行う入力処理装置であり、メインディスプレイ１１上に画面表示されるポインタを移動させるためのポインタ移動信号を生成して、項目列表示部１０３及び文章表示部１０５へ出力する。上記ポインタは、選択候補を示すフォーカスやカーソルの画面内における位置を規定する位置情報である。
【００６１】
項目列表示部１０３は、アプリケーション記憶部１０２から読み出したアプリケーションプログラムに基づいて動作し、複数の選択項目からなる項目列の画面表示を制御する。選択項目とは、様々な機能が割り当てられ、或いは、情報が関連付けされる選択可能な表示オブジェクトのことであり、所定の操作により、選択項目に割り当てられた機能や関連付けされた情報を選択することができる。
【００６２】
上記項目列は、上下方向又は左右方向に配列された複数の選択項目によって構成され、選択項目のいずれか１つが選択候補として表示される。具体的には、選択項目にフォーカスを当てることによって選択候補が表示される。フォーカスが当てられた選択項目は、他の選択項目とは表示態様を異ならせて表示される。例えば、フォーカス中の選択項目は、反転表示され、或いは、他の選択項目とは異なる表示色で表示される。
【００６３】
選択候補は、操作入力部１０１からのポインタ移動信号に基づいて、選択項目間で移動する。選択候補を隣の選択項目に変更する際には、フォーカスの移動を滑らかに見せるために、選択項目間に擬似フォーカスが当てられる。この擬似フォーカスは、各選択項目が矩形形状の表示枠を用いて表示され、互いに隣接して配置されている場合に、互いに隣接する２つの選択項目に表示枠がまたがって表示される表示オブジェクトである。
【００６４】
文章表示部１０５は、アプリケーション記憶部１０２から読み出したアプリケーションプログラムに基づいて動作し、文書ファイル記憶部１０４から文書ファイルを読み出して、行方向及び列方向に整列配置された複数の文字からなる文章の画面表示を制御する。
【００６５】
文書ファイルの編集中には、文章中の文字のいずれか１つが、選択候補として表示される。具体的には、文字の近傍にカーソルを配置することによって選択候補が表示される。選択候補は、操作入力部１０１からのポインタ移動信号に基づいて、文字間で移動する。
【００６６】
図９は、図８の携帯電話機１００の要部における構成例を示したブロック図であり、操作入力部１０１内の機能構成の一例が示されている。この操作入力部１０１は、方向キー３１、圧力センサ３４及びポインタ制御部１１０により構成される。
【００６７】
ポインタ制御部１１０は、短押し制御部１１１、長押し制御部１１２及びモード切替部１１３により構成され、方向キー３１及び圧力センサ３４の出力に基づいて、ポインタ移動信号を生成する。
【００６８】
短押し制御部１１１は、方向キー３１の検出結果に基づいて、押圧操作の開始を検知し、当該押圧操作の開始時に所定のポインタ移動信号を生成する。一方、長押し制御部１１２は、圧力センサ３４の検出結果に基づいて、押圧力に応じたポインタ移動信号を生成する。具体的には、圧力センサ３４からのセンサ割込信号に基づいて、ポインタ移動信号が繰返し生成される。
【００６９】
例えば、ポインタ移動信号は、圧力センサ３４によって検出される押圧力の大きさに対応付けられたデジタルデータが、ポインタ移動信号として一定時間ごとに生成される。或いは、ポインタ移動信号は、押圧力の大きさに応じて、単位時間当たりのパルス数が異なる信号として生成される。或いは、ポインタ移動信号は、押圧力に応じてパルス幅又は信号強度が異なる信号として生成される。
【００７０】
モード切替部１１３は、操作開始検出部１１４、短押し終了検出部１１５、タイマー１１６、短長切替判定部１１７、終了閾値記憶部１１８及び長短切替判定部１１９からなり、短押し制御部１１１又は長押し制御部１１２のいずれか一方のポインタ移動信号を出力する。
【００７１】
操作開始検出部１１４は、方向キー３１からのキー割込信号に基づいて、キートップ部４１のパッド面に対する押圧操作の開始を検出し、その検出結果を短長切替判定部１１７へ出力する。押圧操作の開始は、例えば、方向キー３１がオンすることによって検知される。
【００７２】
短押し終了検出部１１５は、方向キー３１からのキー割込信号に基づいて、短押し操作の終了を検出し、その検出結果を短長切替判定部１１７へ出力する。短押し操作の終了は、方向キー３１がオフ状態に遷移することによって検知される。
【００７３】
短長切替判定部１１７は、操作開始検出部１１４及び短押し終了検出部１１５の検出結果に基づいて、押圧操作が一定時間継続していると判断した場合に、短押しモードを長押しモードに切り替える。具体的には、方向キー３１がオンした後、当該方向キー３１がオフすることなく一定時間Ｂ０が経過したことをタイマー１１６からの時間情報に基づいて検知した場合に、動作モードが短押しモードから長押しモードに切り替えられる。つまり、ここでは、方向キー３１を一定時間Ｂ０以上押し続ける操作を長押しと呼び、一定時間Ｂ０が経過するまでにオフさせる操作を短押しと呼んでいる。
【００７４】
長短切替判定部１１９は、圧力センサ３４によって検出される押圧力を終了閾値Ｔｈ１と比較し、その比較結果に基づいて、長押しモードを短押しモードに切り替える。具体的には、押圧力が終了閾値Ｔｈ１を下回れば、キートップ部４１のパッド面に対する押圧操作が終了した判断し、動作モードが長押しモードから短押しモードに切り替えられる。終了閾値記憶部１１８には、終了閾値Ｔｈ１として、方向キー３１がオンする際の押圧力（一定値Ｐ０）よりも小さな一定値が保持されている。
【００７５】
＜リスト画面＞
図１０は、図８の携帯電話機１００の動作の一例を示した図であり、上下方向に配列された複数の選択項目６４からなる項目列を表示するためのリスト画面６０が示されている。リスト画面６０は、上下方向又は左右方向に整列された複数の選択項目６４からなる項目列の一部又は全部を表示し、ユーザに所望の選択項目を選択させるための入力画面であり、メインディスプレイ１１上に表示される。
【００７６】
このリスト画面６０は、上下方向に配列された４つの表示領域、すなわち、ピクト表示領域６１、タイトル表示領域６２、項目列表示領域６３及びキー割当表示領域６６からなる。ピクト表示領域６１は、電波の受信状態や電池残量を示すピクトグラム（絵文字）を表示するための横長の矩形領域である。キー割当表示領域６６は、方向キー３１やセンターキー３２などの操作キーに対する機能割当てを所定のアイコンを用いて表示するための横長の矩形領域である。
【００７７】
項目列表示領域６３は、項目列を表示するための縦長の矩形領域である。項目数が多い場合には、項目列の一部が項目列表示領域６３内に表示され、画面をスクロールさせることにより、当該項目列の他の部分を表示させることができる。選択候補には、フォーカス６５が当てられている。
【００７８】
選択項目６４の表示態様や選択項目６４に割り当てられる機能は、実行させるアプリケーションプログラム及び動作状況ごとに異なる。例えば、電話帳データとして登録されている電話番号や電子メールのメールアドレスを表示させるプログラムの場合、１つの宛先を１つの選択項目６４として、宛先ごとの登録情報が表形式で表示される。そして、各選択項目６４には、登録情報の閲覧機能や編集機能が割り当てられ、閲覧機能を実行させれば、選択候補の登録情報の詳細を閲覧することができる。また、編集機能を実行させれば、選択候補の登録情報を編集することができる。
【００７９】
或いは、着信履歴データとして保持されている送信元情報を表示させるプログラムの場合には、１件の送信元情報を１つの選択項目６４として、送信元ごとの保持情報が表形式で表示される。或いは、実行可能なコンテンツを示す複数のアイコンからなるコンテンツメニューを表示させるプログラムの場合には、１つのアイコンを１つの選択項目６４として、コンテンツごとのアイコンがマトリクス形式で表示される。
【００８０】
或いは、スケジュールデータとして登録されている登録情報を表示させるプログラムの場合には、１件の登録情報を１つの選択項目６４として、登録情報が登録順や登録日時ごとに表形式で表示される。
【００８１】
この項目列は、スケジュール表の例であり、上から順に１から１０まで番号付けされた１０個の選択項目６４が、互いに離間させることなく隣接させて配置されている。また、第４の項目にフォーカス６５が当てられている。キー割当表示領域６６には、上下の方向キー３１及びセンターキー３２に対する機能割当てを示すアイコン６７と、ガイドキー３３ａに対する機能割当てを示すアイコン６８が表示されている。
【００８２】
上又は下の方向キー３１を操作することにより、フォーカス６５を隣接する選択項目に移動させることができる。例えば、上キーを１回だけ短押しすれば、フォーカス６５を第４の項目から第３の項目に移動させることができる。
【００８３】
一方、下キーを１回だけ短押しすれば、フォーカス６５を第４の項目から第５の項目に移動させることができる。つまり、方向キー３１を短押しするごとにフォーカス６５が隣の選択項目に１項目だけ移動する。
【００８４】
また、いずれかの選択項目が選択されている状態でセンターキー３２を操作することにより、選択候補に割り当てられている機能を実行させることができる。また、ガイドキー３３ａを操作することにより、このスケジュール表の閲覧機能を実行させる前の状態に復帰させることができる。
【００８５】
方向キー３１の短押し時には、方向キー３１を操作するごとにフォーカス６５が隣接項目に移動するのに対して、方向キー３１の長押し時には、フォーカス６５が隣接項目に移動した後、長押しモードに移行し、圧力センサ３４による押圧力の検出値に応じた速度でフォーカス６５が移動する。つまり、長押しモードでは、押圧力が大きければ、押圧力が小さい場合に比べて移動速度が速くなる。
【００８６】
＜方向キーの押圧操作＞
図１１及び図１２は、図８の携帯電話機１００の動作の一例を示した図であり、方向キー３１の押圧操作時における押圧力の変化が示されている。図１１には、下キーを繰り返し短押しした場合の押圧力の変化、方向キー３１の動作状態及びポインタ移動信号が示されている。
【００８７】
方向キー３１が押圧操作された場合、圧力センサ３４によって検出される押圧力が所定の閾値、例えば、終了閾値Ｔｈ１を越えれば、指によるダウンイベントが検出され、圧力センサ３４からセンサ割込信号が出力される。そして、押圧力が一定値Ｐ０（Ｐ０＞Ｔｈ１）を越えれば、方向キー３１がオンする。
【００８８】
方向キー３１がオンしてからオフするまでの時間、すなわち、時刻ｔ１にオン状態に遷移してから時刻ｔ２にオフ状態に遷移するまでの経過時間Ｂ１が、一定時間Ｂ０（例えば、１秒程度）よりも短ければ、当該方向キー３１の操作が短押しと判断される。そして、押圧力が閾値Ｔｈ１を下回れば、指のアップイベントが検出される。
【００８９】
短押しモード時には、方向キー３１がオンすることによって押圧操作の開始が検知され、当該押圧操作の開始時、すなわち、時刻ｔ１にポインタ移動信号が生成される。つまり、時刻ｔ１から時刻ｔ２までの期間Ｃ１が押圧操作の継続期間である。
【００９０】
アップイベントの検出後、押圧力が再度終了閾値Ｔｈ１を越えれば、指によるダウンイベントが検出され、さらに、押圧力が一定値Ｐ０を越えれば、方向キー３１がオンする。そして、方向キー３１が時刻ｔ３にオン状態に遷移してから時刻ｔ４にオフ状態に遷移するまでの経過時間Ｂ２が、一定時間Ｂ０よりも短ければ、短押しと判断される。方向キー３１がオンすることによって押圧操作の開始が検知され、時刻ｔ３にポインタ移動信号が生成され、時刻ｔ３から時刻ｔ４までの期間Ｃ１が押圧操作の継続期間である。
【００９１】
図１２には、下キーを長押しした場合の押圧力の変化、方向キー３１の動作状態及びポインタ移動信号が示されている。圧力センサ３４によって検出される押圧力が終了閾値Ｔｈ１を越えれば、指によるダウンイベントが検出され、圧力センサ３４からセンサ割込信号が出力される。そして、押圧力が一定値Ｐ０を越えれば、方向キー３１がオンする。
【００９２】
方向キー３１が時刻ｔ５にオンした後、当該方向キー３１がオフすることなく一定時間Ｂ０が経過すれば、当該方向キー３１の操作が長押しと判断され、動作モードが短押しモードから長押しモードに切り替えられる。その後、押圧力は、時刻ｔ７で一定値Ｐ０を下回り、方向キー３１がオフ状態に遷移している。そして、押圧力が終了閾値Ｔｈ１を下回れば、指のアップイベントが検出され、短押しモードに復帰する。
【００９３】
この例では、時刻ｔ５から時刻ｔ８までの期間Ｃ２が押圧操作の継続期間である。また、一定時間Ｂ０の経過時点、すなわち、時刻ｔ６において動作モードが長押しモードに切り替えられ、この時刻ｔ６から時刻ｔ８においてアップイベントが検出されるまでの長押しモード期間Ｂ３には、圧力センサ３４による押圧力の検出値に応じたポインタ移動信号が生成される。すなわち、短押しモード時には、信号強度が一定レベルであるパルス状のポインタ移動信号が生成されるのに対して、長押しモード時には、信号強度が押圧力に応じて変化するポインタ移動信号が生成されている。具体的には、長押しモードの場合、下限値（Ｔｈ１）から上限値Ｐ１までの範囲内の押圧力に対応する信号強度のポインタ移動信号が繰返し生成される。この様なポインタ移動信号を参照することにより、強く押し込むほどポインタの移動速度が速くなるような制御を行わせることができる。
【００９４】
ここで、押圧力の終了閾値Ｔｈ１は、方向キー３１がオンする際の押圧力（一定値Ｐ０）に比べて十分に小さく、また、押圧力の上限値Ｐ１（押込限界時の押圧力）が、一定値Ｐ０よりも大きいので、長押しモードでは、終了閾値Ｔｈ１以上上限値Ｐ１以下の範囲内の押圧力に応じてポインタの移動速度を調整することができる。つまり、押圧力が終了閾値Ｔｈ１を下回った時点で長押しモードが解除されるので、方向キー３１がオフするタイミングで長押しモードを解除する場合に比べて、終了閾値Ｔｈ１から上限値Ｐ１までの範囲を有効に使ってポインタの移動速度を調整させることができる。
【００９５】
＜ポインタ移動＞
図１３（ａ）及び（ｂ）は、図８の携帯電話機１００の動作の一例を示した図であり、方向キー３１の押圧操作時におけるフォーカス６５の移動の様子が示されている。図１３（ａ）には、下キーの短押し時の様子が示され、図１３（ｂ）には、長押し時の様子が示されている。
【００９６】
リスト画面６０内のフォーカス６５は、下キーのオン状態への遷移に基づいて、第４の項目から第５の項目に１項目分だけ移動する。短押しの場合には、方向キー３１のオフ状態への遷移は無視される。
【００９７】
一方、下キーのオン状態への遷移により、フォーカス６５が第４の項目から第５の項目に移動した後、一定時間Ｂ０の経過により長押しであると判定された場合には、圧力センサ３４による押圧力の検出値に応じた速度でフォーカス６５が移動する。その際、選択項目６４間に擬似フォーカス６９を当てながらフォーカス６５の移動が行われる。
【００９８】
この擬似フォーカス６９は、フォーカス６５の移動を滑らかに見せるために、選択項目６４間の領域に当てられるフォーカス、或いは、選択項目６４にまたがって表示される擬似的なフォーカスである。この例では、フォーカス６５が第５の項目から第６の項目に移動する際、第５の項目と第６の項目との間に両項目にまたがった擬似フォーカス６９が表示されている。
【００９９】
文書ファイルの編集時に文章中のカーソルを移動させる場合にもフォーカス６５の移動と同様にして行われる。すなわち、選択候補を示すカーソルが文字の近傍に表示され、ポインタ移動信号に基づいて、当該カーソルが文字間で移動する。具体的には、方向キー３１の短押しにより、カーソルが１文字分だけ隣の文字に移動する。例えば、下キーを操作すれば、カーソルが下方向に移動し、右キーを操作すれば、カーソルが右方向に移動する。
【０１００】
一方、方向キー３１のオン状態への遷移により、カーソルが１文字分だけ移動した後、一定時間Ｂ０の経過により長押しであると判定された場合には、圧力センサ３４による押圧力の検出値に応じた速度でカーソルが移動する。方向キー３１の短押し時には、文字単位でカーソルが移動されるのに対して、長押しモード時には、例えば、画素単位でカーソルの移動が行われる。
【０１０１】
図１４のステップＳ１０１〜Ｓ１１１は、図８の携帯電話機１００における方向キー３１の押圧操作時の動作の一例を示したフローチャートである。まず、操作入力部１０１のポインタ制御部１１０は、圧力センサ３４からセンサ割込信号によって押圧力の検出値が一定値を越えたことを検知すれば、指によるダウンイベントが発生したと判断して、割込み処理を実行する（ステップＳ１０１）。その後、方向キー３１がオンすることなくアップイベントが検出されれば、この処理を終了する（ステップＳ１０２，Ｓ１１１）。
【０１０２】
一方、方向キー３１がオンされた場合には、短押し制御部１１１が、当該方向キー３１からの方向入力信号に基づいて、ポインタ移動信号を生成し、選択候補が隣接する選択項目に変更される（ステップＳ１０２，Ｓ１０３）。次に、短長切替判定部１１７は、方向キー３１がオンすることによって押圧操作の開始が検出されてから当該押圧操作が一定時間Ｂ０継続していると判断すれば、当該方向キー３１の操作が長押しであると判断し、動作モードを短押しモードから長押しモードに切り替える（ステップＳ１０４，Ｓ１０５）。また、方向キー３１がオンした後、一定時間Ｂ０が経過する前に当該方向キー３１がオフした場合には、この処理を終了する（ステップＳ１０４，Ｓ１１０）。
【０１０３】
長押し制御部１１２は、長押しモードに移行後、圧力センサ３４によって検出される押圧力を参照してポインタの移動速度を決定し、押圧力に応じた移動速度を示すポインタ移動信号を生成する。そして、ポインタ移動信号に基づいて、フォーカス６５がリスト画面６０内で移動する（ステップＳ１０６〜Ｓ１０８）。ステップＳ１０６からステップＳ１０８までの処理手順は、押圧力が終了閾値Ｔｈ１を下回ることによって指のアップイベントが検知されるまで繰り返され、アップイベントが検知されれば、長押しモードから短押しモードに動作モードが切り替えられ、この処理は終了する（ステップＳ１０９）。
【０１０４】
本実施の形態によれば、方向キー３１の検出結果に基づいて押圧操作の開始を検知してポインタ移動信号が生成されるので、押圧力に応じたポインタの移動を可能とする構成でありながら、温度変化などの影響による誤動作を抑制することができる。また、方向キー３１を押し続けるだけで、押圧力に応じたポインタ移動に自動的に移行させることができる。従って、温度変化などの影響による誤動作を抑制し、ポインタ移動時の操作性を向上させることができる。
【０１０５】
実施の形態２．
実施の形態１では、方向キー３１がオンした後、当該方向キー３１がオフすることなく一定時間Ｂ０が経過した場合に、動作モードが短押しモードから長押しモードに切り替えられる場合の例について説明した。本実施の形態では、方向キー３１がオンした後、押圧力が一定値を下回ることなく一定時間が経過した場合に、短押しモードを長押しモードに切り替える場合について説明する。
【０１０６】
図１５は、本発明の実施の形態２による携帯情報端末の構成例を示したブロック図であり、操作入力部１０１の他の例が示されている。この操作入力部１０１は、図９の操作入力部１０１と比較すれば、ポインタ制御部１１０のモード切替部１１３が短押し判定閾値記憶部１２１を備えている点で異なる。
【０１０７】
操作入力部１０１の短押し終了検出部１１５では、方向キー３１がオンした後、押圧力が所定の短押し判定閾値Ｔｈ２を下回ることなく一定時間が経過したことをタイマー１１５からの時間情報に基づいて検知した場合に、押圧操作が一定時間継続していると判断し、短押しモードを長押しモードに切り替える。
【０１０８】
短押し判定閾値記憶部１２１には、押圧操作が短押しであるか否かを判定するための閾値として、方向キー３１がオフする際の押圧力（例えば、一定値Ｐ０）よりも小さな短押し判定閾値Ｔｈ２（Ｔｈ２＞Ｔｈ１）が保持される。
【０１０９】
図１６は、図１５の携帯情報端末の動作の一例を示した図であり、方向キー３１の長押し時における押圧力の変化、方向キー３１の動作状態及びポインタ移動信号が示されている。方向キー３１が時刻ｔ９にオンした後、当該方向キー３１は、時刻ｔ１０でオフしている。
【０１１０】
一方、圧力センサ３４によって検出される押圧力は、方向キー３１のオン後、一定値Ｐ０よりも小さな短押し判定閾値Ｔｈ２を下回ることなく一定時間Ｂ０が経過すれば、押圧操作が長押しと判断され、動作モードが短押しモードから長押しモードに切り替えられる。
【０１１１】
つまり、方向キー３１がオンしてから、押圧力が時刻ｔ１２で短押し判定閾値Ｔｈ２を下回るまでの経過時間Ｂ４が一定時間Ｂ０よりも長い場合に、長押しモードに移行する。そして、押圧力が閾値Ｔｈ１を下回れば、指のアップイベントが検出され、動作モードが長押しモードから短押しモードに切り替えられる。
【０１１２】
一定時間Ｂ０の経過時点、すなわち、時刻ｔ１１において動作モードが長押しモードに切り替えられ、この時刻ｔ１１から時刻ｔ１５においてアップイベントが検出されるまでの期間Ｂ５は、圧力センサ３４による押圧力の検出値に応じたポインタ移動信号が生成される。
【０１１３】
本実施の形態によれば、方向キー３１が押圧操作の終了を検知する際の押圧力よりも小さな押圧力で圧力センサ３４を押し続けることにより、押圧力に応じたポインタ移動に移行させることができる。
【０１１４】
なお、実施の形態１及び２では、押圧操作が一定時間継続すれば動作モードが短押しモードから長押しモードに切り替えられる場合の例について説明したが、本発明はこれに限られるものではない。例えば、圧力センサ３４によって検出される押圧力を方向キー３１がオンする際の押圧力（一定値Ｐ０）よりも大きな一定値Ｔｈ３（Ｔｈ３＜Ｐ１）と比較し、この比較結果に基づいて短押しモードを長押しモードに切り替えるような構成であっても良い。すなわち、方向キー３１を押込限界近くまで強押しすることにより、一定時間の経過を待つことなく長押しモードに切り替えるような構成であっても良い。
【０１１５】
また、実施の形態１及び２では、キートップ部４１を押し込んだ際に接点式スイッチがオンし、押圧操作の開始が検知される場合の例について説明したが、本発明はこれに限られるものではない。例えば、キートップ部４１を押し込んだ際にオフする接点式スイッチを用いるものにも本発明は適用することができる。
【符号の説明】
【０１１６】
１０  表示筐体
１１  メインディスプレイ
１２  受話用レシーバ
１３  サブディスプレイ
２０  ヒンジ部
３０  操作筐体
３１  方向キー
３２  センターキー
３３  テンキー
３３ａ  ガイドキー
３４  圧力センサ
３４ａ  感圧パッド部
３４ｂ，３４ｃ  コンデンサ
３４ｄ  センサ制御回路
３５  送話用マイクロホン
３６  メイン基板
３７  フレキシブル基板
４０  キートップシート
４１〜４３  キートップ部
４１ａ，４１ｂ，４２ａ，４３ａ  押し子
４４  マイク孔
４５  切り欠き部
５１  金属板
５２，５３  電極板
５４  弾性部材
６０  リスト画面
６１  ピクト表示領域
６２  タイトル表示領域
６３  項目列表示領域
６４  項目
６５  フォーカス
６６  キー割当表示領域
６７，６８  アイコン
６９  擬似フォーカス
１００  携帯電話機
１０１  操作入力部
１０２  アプリケーション記憶部
１０３  項目列表示部
１０４  文書ファイル記憶部
１０５  文章表示部
１１０  ポインタ制御部
１１１  短押し制御部
１１２  長押し制御部
１１３  モード切替部
１１４  操作開始検出部
１１５  短押し終了検出部
１１６  タイマー
１１７  短長切替判定部
１１８  終了閾値記憶部
１１９  長短切替判定部
１２１  短押し判定閾値記憶部
【図１】
2011100290.tif 000003
【図２】
2011100290.tif 000004
【図３】
2011100290.tif 000005
【図４】
2011100290.tif 000006
【図５】
2011100290.tif 000007
【図６】
2011100290.tif 000008
【図７】
2011100290.tif 000009
【図８】
2011100290.tif 000010
【図９】
2011100290.tif 000011
【図１０】
2011100290.tif 000012
【図１１】
2011100290.tif 000013
【図１２】
2011100290.tif 000014
【図１３】
2011100290.tif 000015
【図１４】
2011100290.tif 000016
【図１５】
2011100290.tif 000017
【図１６】
2011100290.tif 000018